(57)【要約】【課題】  部品点数を増加させることなく、省電力モードに移行する間であってもバッテリの電力消費をさらに低減させることができるようにする。【解決手段】  未操作が所定時間に達したときバッテリ２３からの電源供給を停止させて省電力モードに移行する間に、メインマイコン２０及びサブマイコン２１により、電源回路部２６からインバータ回路１２等への電源供給、ＣＣＤカメラ１への電源供給、メカ部１３への電源供給を段階的に停止させるための前置省電力モードを実行させるようにする。【選択図】  図１
2006033398.tif 000002
【特許請求の範囲】
【請求項１】
バッテリを電源とし、未操作が所定時間に達したとき前記バッテリからの電源供給を停止させて省電力モードに移行する機能を有した撮影装置であって、
画像を表示する表示手段と、
被写体を撮像する撮像手段と、
撮像された画像の記録又は再生を行う記録再生手段と、
前記バッテリからの電源を前記表示手段、撮像手段、記録再生手段に供給する電源供給手段と、
前記電源供給手段からの電源供給を制御する制御手段とを備え、
前記制御手段は、前記未操作が所定時間に達する間に、前記電源供給手段からの電源供給を段階的に停止させるための前置省電力モードを実行した後、前記省電力モードに移行するように制御することを特徴とする撮影装置。
【請求項２】
前記制御手段は、
前記未操作が所定時間に達する間を第１段階から第４段階に分けたとき、
第１段階では、前記表示手段への電源供給を停止させ、
第２段階では、前記撮像手段への電源供給を停止させ、
第３段階では、前記記録再生手段への電源供給を停止させ、
第４段階では、前記省電力モードに移行するように制御する
ことを特徴とする請求項１に記載の撮影装置。
【請求項３】
前記表示手段は、少なくとも液晶表示パネルとバックライトとを備えており、
前記制御手段は、
前記未操作が所定時間に達する間を第１段階から第４段階に分けたとき、
第１段階では、前記バックライトへの電源供給を停止させ、
第２段階では、前記液晶表示パネルへの電源供給を停止させ、
第３段階では、前記撮像手段への電源供給を停止させ、
第４段階では、前記記録再生手段への電源供給を停止させて省電力モードに移行するように制御する
ことを特徴とする請求項１に記載の撮影装置。
【請求項４】
前記制御手段は、前記電源供給手段からの電源供給を段階的に停止させて前記省電力モードに移行する間のそれぞれの段階において、いずれかの操作ボタンが操作された場合、前記電源供給手段からの電源供給が前記表示手段、撮像手段、記録再生手段の全てに供給される状態に復帰するように制御することを特徴とする請求項１〜３のいずれかに記載の撮影装置。
【請求項５】
バッテリを電源とし、未操作が所定時間に達したとき前記バッテリからの電源供給を停止させて省電力モードに移行する省電力モード移行方法であって、
画像を表示する表示手段に電源供給する工程と、
被写体を撮像する撮像手段に電源供給する工程と、
撮像された画像の記録又は再生を行う記録再生手段に電源供給する工程と、
前記未操作が所定時間に達する間に、前記電源供給を段階的に停止させるための前置省電力モードを実行した後、前記省電力モードに移行するように制御する工程とを有する
ことを特徴とする省電力モード移行方法。
【請求項６】
前記未操作が所定時間に達する間を第１段階から第４段階に分けたとき、
第１段階では、前記表示手段への電源供給を停止させ、
第２段階では、前記撮像手段への電源供給を停止させ、
第３段階では、前記記録再生手段への電源供給を停止させ、
第４段階では、前記省電力モードに移行するように制御する工程を有する
ことを特徴とする請求項５に記載の省電力モード移行方法。
【請求項７】
前記表示手段が少なくとも液晶表示パネルとバックライトとを備えており、
前記未操作が所定時間に達する間を第１段階から第４段階に分けたとき、
第１段階では、前記バックライトへの電源供給を停止させ、
第２段階では、前記液晶表示パネルへの電源供給を停止させ、
第３段階では、前記撮像手段への電源供給を停止させ、
第４段階では、前記記録再生手段への電源供給を停止させて省電力モードに移行するように制御する工程を有する
ことを特徴とする請求項５に記載の省電力モード移行方法。
【請求項８】
前記電源供給を段階的に停止させて前記省電力モードに移行する間のそれぞれの段階において、いずれかの操作ボタンが操作された場合、前記電源供給が前記表示手段、撮像手段、記録再生手段の全てに供給される状態に復帰するように制御する工程を有することを特徴とする請求項５〜７のいずれかに記載の省電力モード移行方法。
【発明の詳細な説明】
【技術分野】
【０００１】
本発明は、カメラ一体型ＶＣＲ（ビデオカセットレコーダー）等の撮影装置に係り、特に、バッテリを電源とし、未操作が所定時間に達する間にバッテリからの電源供給を段階的に停止させるための前置省電力モードを実行して省電力モードに移行する機能を有した撮影装置に関する。
【背景技術】
【０００２】
カメラ一体型ＶＣＲは、カセットテープを記録媒体として使用している。撮影の際には、ＲＥＣ開始ボタンが押されて撮影モードに入ると、回転ドラムのヘッドにカセットテープが巻き付けられる。そして、回転ドラムの回転とともに、ヘッドによるカセットテープへの磁気記録が行われる。
【０００３】
ここで、撮影開始前にあっては、ＲＥＣ開始ボタンが押されたとき、直ちに磁気記録が行われるように回転ドラムが回転している、撮影待機状態（ＲＥＣ＿ＰＡＵＳＥ）がとられるようになっている。なお、このような撮影待機状態（ＲＥＣ＿ＰＡＵＳＥ）がたとえば５分以上連続した場合、ヘッドの磨耗防止や省電力化等の目的で電源を強制的にＯＦＦさせることにより、省電力モードに移行するようになっている。
【０００４】
ところで、このような省電力モードから、再度、撮影モードに移行する場合には、電源スイッチを再度ＯＮする必要があるため、撮影再開まで時間がかかってしまうという問題がある。ちなみに、電源スイッチを再度ＯＮして撮影再開が可能となる時間は、４〜５秒程度かかっている。
【０００５】
省電力を図ったものとして、特許文献１では、デジタル画像信号及び他の情報信号を順次記憶するメモリと、記録部にデジタル画像信号及び他の情報信号の記録媒体への記録開始／停止を指示するスタート・ストップボタンと、操作部の記録開始／停止指示に応じてデジタル画像信号及び他の情報信号の記憶手段への書き込み／読み出し、記録部の動作を記録媒体に記録するデジタル画像信号に操作部の記録開始／停止指示から遅延がないように制御するメモリコントローラ及びシステムコントローラとを設け、スタンバイ状態を不要とし、スタンバイ状態の間の消費電力の削減を行うようにした画像記録装置を提案している。
【特許文献１】特開平１０−１３６２９５号公報
【発明の開示】
【発明が解決しようとする課題】
【０００６】
ところが、特許文献１に示された画像記録装置では、記録部が記録可能な状態になる間に、記憶手段であるメモリにデジタル画像信号を記憶させているため、記録部を常に記録可能なスタンバイ状態にしておく必要がないので消費電力を低減することができるものの、メモリを必要とすることにより部品点数が増えてしまうという問題がある。
【０００７】
また、メモリに記憶されたデジタル画像信号が消去されないように絶えずメモリに電力を供給する必要があるため、上述した省電力モードに移行しても余分に電力が消費されてしまうという問題もある。
【０００８】
解決しようとする問題点は、記録部が記録可能な状態になる間に、メモリにデジタル画像信号を記憶させておくようにすると、メモリを必要とすることにより部品点数が増えてしまうということや、省電力モードに移行してもメモリへの電力が必要となり、余分な電力が消費されてしまうという点である。
【課題を解決するための手段】
【０００９】
本発明の撮影装置は、バッテリを電源とし、未操作が所定時間に達したとき前記バッテリからの電源供給を停止させて省電力モードに移行する機能を有した撮影装置であって、画像を表示する表示手段と、被写体を撮像する撮像手段と、撮像された画像の記録又は再生を行う記録再生手段と、前記バッテリからの電源を前記表示手段、撮像手段、記録再生手段に供給する電源供給手段と、前記電源供給手段からの電源供給を制御する制御手段とを備え、前記制御手段は、前記未操作が所定時間に達する間に、前記電源供給手段からの電源供給を段階的に停止させるための前置省電力モードを実行した後、前記省電力モードに移行するように制御することを特徴とする。
また、前記制御手段は、前記未操作が所定時間に達する間を第１段階から第４段階に分けたとき、第１段階では、前記表示手段への電源供給を停止させ、第２段階では、前記撮像手段への電源供給を停止させ、第３段階では、前記記録再生手段への電源供給を停止させ、第４段階では、前記省電力モードに移行するように制御するようにすることができる。
また、前記表示手段は、少なくとも液晶表示パネルとバックライトとを備えており、前記制御手段は、前記未操作が所定時間に達する間を第１段階から第４段階に分けたとき、第１段階では、前記バックライトへの電源供給を停止させ、第２段階では、前記液晶表示パネルへの電源供給を停止させ、第３段階では、前記撮像手段への電源供給を停止させ、第４段階では、前記記録再生手段への電源供給を停止させて省電力モードに移行するように制御するようにすることができる。
また、前記制御手段は、前記電源供給手段からの電源供給を段階的に停止させて前記省電力モードに移行する間のそれぞれの段階において、いずれかの操作ボタンが操作された場合、前記電源供給手段からの電源供給が前記表示手段、撮像手段、記録再生手段の全てに供給される状態に復帰するように制御するようにすることができる。
本発明の省電力モード移行方法は、バッテリを電源とし、未操作が所定時間に達したとき前記バッテリからの電源供給を停止させて省電力モードに移行する省電力モード移行方法であって、画像を表示する表示手段に電源供給する工程と、被写体を撮像する撮像手段に電源供給する工程と、撮像された画像の記録又は再生を行う記録再生手段に電源供給する工程と、前記未操作が所定時間に達する間に、前記電源供給を段階的に停止させるための前置省電力モードを実行した後、前記省電力モードに移行するように制御する工程とを有することを特徴とする。
また、前記未操作が所定時間に達する間を第１段階から第４段階に分けたとき、第１段階では、前記表示手段への電源供給を停止させ、第２段階では、前記撮像手段への電源供給を停止させ、第３段階では、前記記録再生手段への電源供給を停止させ、第４段階では、前記省電力モードに移行するように制御する工程を有するようにすることができる。
また、前記表示手段が少なくとも液晶表示パネルとバックライトとを備えており、前記未操作が所定時間に達する間を第１段階から第４段階に分けたとき、第１段階では、前記バックライトへの電源供給を停止させ、第２段階では、前記液晶表示パネルへの電源供給を停止させ、第３段階では、前記撮像手段への電源供給を停止させ、第４段階では、前記記録再生手段への電源供給を停止させて省電力モードに移行するように制御する工程を有するようにすることができる。
また、前記電源供給を段階的に停止させて前記省電力モードに移行する間のそれぞれの段階において、いずれかの操作ボタンが操作された場合、前記電源供給が前記表示手段、撮像手段、記録再生手段の全てに供給される状態に復帰するように制御する工程を有するようにすることができる。
本発明の撮影装置では、未操作が所定時間に達したときバッテリからの電源供給を停止させて省電力モードに移行する間に、制御手段により、電源供給手段から表示手段、撮像手段、記録再生手段に供給される電源を段階的に停止させるための前置省電力モードを実行することができる。
【発明の効果】
【００１０】
本発明の撮影装置によれば、未操作が所定時間に達したときバッテリからの電源供給を停止させて省電力モードに移行する間に、制御手段により、電源供給手段から表示手段、撮像手段、記録再生手段に供給される電源を段階的に停止させるための前置省電力モードを実行することができるので、部品点数を増加させることなく、省電力モードに移行する間であってもバッテリの電力消費をさらに低減させることができる。
【発明を実施するための最良の形態】
【００１１】
本実施形態では、未操作が所定時間に達したときバッテリからの電源供給を停止させて省電力モードに移行する間に、制御手段により、電源供給手段から表示手段、撮像手段、記録再生手段に供給される電源を段階的に停止させるための前置省電力モードを実行させることにより、部品点数を増加させることなく、省電力モードに移行する間であってもバッテリの電力消費をさらに低減させるようにした。
【００１２】
以下、本発明の実施の形態について説明する。
図１は、本発明の撮影装置をカメラ一体型ＶＣＲに適用した場合の一実施形態を示すブロック図、図２及び図３は、図１の撮影装置における省電力モード移行方法を説明するためのフローチャートである。
【００１３】
図１において、符号１は被写体を撮像する撮像手段としてのＣＣＤカメラ、符号２はＣＣＤカメラ１からの信号に対して利得補正やＡ／Ｄ変換処理等を行うＣＡＭ信号処理部、符号３はＣＡＭ信号処理部２によって処理された信号に対して歪み補正処理等を行うＣＡＭ信号処理用ＤＳＰ回路、符号４はＣＡＭ信号処理用ＤＳＰ回路３から出力される信号から図示しない磁気テープへの記録信号を生成したり、図示しない磁気テープに記録されている信号から再生信号を生成したりする記録再生信号処理用ＤＳＰ回路、符号５は音を取り込むマイクロホン、符号６はマイクロホン５からの信号を増幅するマイクアンプ、符号７はマイクアンプ６からの信号に対してＡ／Ｄ変換処理するＡ／Ｄ変換回路をそれぞれ示している。
【００１４】
また、符号８は記録時に図示しないヘッドによって磁気テープに記録される信号を増幅したり、再生時に磁気テープに記録されている信号を増幅したりするヘッドアンプ、符号９は記録再生信号処理用ＤＳＰ回路４によって処理された信号から表示用の信号を生成するＬＣＤ信号処理回路、符号１０はＬＣＤ信号処理回路９によって生成された表示用の信号に基づき画像を表示するＬＣＤ（液晶ディスプレイ）パネル、符号１１はＬＣＤパネル１０に対して表示光を与えるバックライト、符号１２はバックライト１１を点灯させるインバータ回路をそれぞれ示している。ここで、ＬＣＤパネル１０、バックライト１１、インバータ回路１２は、表示手段を構成している。
【００１５】
また、符号１３は図示しない磁気テープへの記録やその磁気テープに記録されている信号の再生等を行う記録再生手段としてのメカ部、符号１４は記録再生時に図示しないヘッドを有するドラムを回転させるドラムモータ、符号１５は図示しない磁気テープを規定にあわせた一定の速度で送るためのキャプスタンを回転させるキャプスタンモータ、符号１６は図示しない磁気テープの記録再生時、早送り時、巻き戻し時に図示しないリール台を回転させるローディングモータをそれぞれ示している。
【００１６】
また、符号１７はドラムモータ１４の駆動をコントロールするドラムモータドライバ回路、符号１８はキャプスタンモータ１５の駆動をコントロールするキャプスタンモータドライバ回路、符号１９はローディングモータ１６の駆動をコントロールするローディングモータドライバ回路をそれぞれ示している。
【００１７】
また、符号２０は各部の動作を制御するとともに、段階的に電源供給を停止させるための前置省電力モードを実行して省電力モードへ移行させるメインマイコン、符号２１はメインマイコン２０からの信号を受けて後述の電源回路部２６の電源供給制御を行うサブマイコン、符号２２は後述のバッテリ２３の電力からサブマイコン２１の動作電圧を得る電圧供給回路、符号２３は充電可能なバッテリ、符号２４はＣＡＭ＿ＯＮ又はＶＴＲ＿ＯＮ又は電源ＯＦＦの切り換えを行う電源スイッチ、符号２５は撮影開始の際に操作される撮影開始スイッチ（ＲＥＣスイッチ）をそれぞれ示している。ここで、メインマイコン２０及びサブマイコン２１は、制御手段を構成してる。
【００１８】
また、符号２６は各部へ電源を供給する電源供給手段としての電源回路部、符号２７はＣＣＤカメラ１へ電源を供給する電源回路、符号２８はＣＡＭ信号処理用ＤＳＰ回路３及び記録再生信号処理用ＤＳＰ回路４へ電源を供給する電源回路、符号２９はＣＡＭ信号処理部２及びＣＡＭ信号処理用ＤＳＰ回路３へ電源を供給する電源回路、符号３０はＣＡＭ信号処理部２、ＣＡＭ信号処理用ＤＳＰ回路３、記録再生信号処理用ＤＳＰ回路４及びＬＣＤ信号処理回路９へ電源を供給する電源回路をそれぞれ示している。
【００１９】
また、符号３１はインバータ回路１２へ電源を供給する電源回路、３２はドラムモータドライバ回路１７へ電源を供給する電源回路、符号３３はキャプスタンモータドライバ回路１８へ電源を供給する電源回路、符号３４はローディングモータドライバ回路１９へ電源を供給する電源回路、符号３５はサブマイコン２１の制御によって各電源回路の動作を制御する電源制御ＩＣをそれぞれ示している。
【００２０】
次に、撮影装置による省電力モード移行方法について説明する。
まず、図２に示すように、電源スイッチ２４がＣＡＭ＿ＯＮ又はＶＴＲ＿ＯＮに切り換えられると（ステップＳ１）、メインマイコン２０からサブマイコン２１へ制御信号が出される。このとき、サブマイコン２１からのＰ−ＣＯＮ−Ｈ信号が”Ｈ”となることで（ステップＳ２）、電源回路部２６の各電源回路２７〜３４からそれぞれの部位へ電源が供給される（ステップＳ３）。
【００２１】
このとき、メインシステム起動に伴い、各部の初期化が行われ、撮影可能な状態になる（ステップＳ４〜Ｓ８）。ここで、電源投入直後の初期化完了時は撮影待機状態（ＲＥＣ＿ＰＡＵＳＥ）となる。
【００２２】
そして、通常は、撮影開始ボタン２５がＯＮされると、メインマイコン２０の制御により、ＣＣＤカメラ１で撮影された画像がＣＡＭ信号処理部２でデジタル信号化され、さらにＣＡＭ信号処理用ＤＳＰ回路３にてＣＡＭ画像としての処理が施される。また、ＣＡＭ信号処理用ＤＳＰ回路３からのＣＡＭ画像は、記録再生信号処理用ＤＳＰ回路４により図示しないヘッドへの記録信号として生成され、ヘッドアンプ８によって増幅されて図示しない磁気テープに記録される。
【００２３】
次いで、撮影が終了し、撮影開始ボタン２５がＯＦＦされか、又は（ステップＳ８）での撮影待機状態（ＲＥＣ＿ＰＡＵＳＥ）から撮影開始ボタン２５がＯＮされずに、撮影待機状態がたとえば５分以上続くと、通常では、図示しないヘッドの磨耗防止や省電力化等の目的で電源が強制的にＯＦＦされることになるが、本実施形態では、たとえば５分後の電源ＯＦＦとなる省電力モードに移行するまでに段階的に電源供給を停止させるための前置省電力モードを実行するようにしている。
【００２４】
すなわち、たとえば撮影が行われた後、撮影開始ボタン２５がＯＦＦされ、撮影待機状態（ＲＥＣ＿ＰＡＵＳＥ）がＴ１分以上続いた場合（ステップＳ９）、メインマイコン２０からの制御信号であるＢＬ＿ＣＴＬ（バックライトコントロール）の電圧が徐々に下げられることで、電源回路３１からインバータ回路１２への電力が低下し、バックライト１１によるＬＣＤパネル１０の明るさが通常より暗くされる（ステップＳ１０）。この状態が前置省電力モードにおける第１段階である。
【００２５】
次に、撮影待機状態（ＲＥＣ＿ＰＡＵＳＥ）がさらにＴ２分以上続いた場合（ステップＳ１１）、メインマイコン２０からの制御信号であるＢＬ＿ＯＮ（バックライトオン）が”Ｌ”とされることで、バックライト１１が消灯する（ステップＳ１２）。ただし、バックライト１１以外の各部へは電源が供給されている。この状態が前置省電力モードにおける第２段階である。
【００２６】
次に、図３に示すように、撮影待機状態（ＲＥＣ＿ＰＡＵＳＥ）がさらにＴ３分以上続いた場合（ステップＳ１３）、制御信号であるＣＡＭ＿ＯＮ及びＬＣＤ＿ＯＮが”Ｌ”とされることで、ＣＣＤカメラ１及びＬＣＤパネル１０への電源供給が停止となる（ステップＳ１４）。この状態が前置省電力モードにおける第３段階である。
【００２７】
次に、撮影待機状態（ＲＥＣ＿ＰＡＵＳＥ）がトータル５分以上続いた場合（ステップＳ１５）、メインマイコン２０からサブマイコン２１への制御により、サブマイコン２１の制御信号であるＰ＿ＣＯＮ＿Ｈが”Ｌ”とされることで、電源回路部２６の全ての電源回路２７〜３４からの電源供給が停止となる（ステップＳ１６）。この状態が前置省電力モードから省電力モードに移行する第４段階である。これにより、各部への電源供給が停止され、図示しないヘッドの磨耗防止や省電力化等が図れる。
【００２８】
これに対し、たとえば５分後の電源ＯＦＦとなる省電力モードに移行するまでのそれぞれの段階的な電源供給停止において、何らかのボタンが押された場合には、次のようにして撮影待機状態（ＲＥＣ＿ＰＡＵＳＥ）に戻ることができる。
【００２９】
すなわち、図２の（ステップＳ９）において、撮影待機状態（ＲＥＣ＿ＰＡＵＳＥ）がＴ１分に達していないときに撮影開始ボタン２５が押された場合には（ステップＳ１７）、（ステップＳ８）の撮影待機状態（ＲＥＣ＿ＰＡＵＳＥ）に戻ることができる（ステップＳ１８）。これにより、撮影開始ボタン２５が押されることで、直ちに撮影に入ることができる。
【００３０】
また、（ステップＳ１１）において、撮影待機状態（ＲＥＣ＿ＰＡＵＳＥ）がＴ３分に達していないときに撮影開始ボタン２５が押された場合には（ステップＳ１９）、バックライト１１によるＬＣＤパネル１０の明るさが通常に戻され、（ステップＳ８）の撮影待機状態（ＲＥＣ＿ＰＡＵＳＥ）に戻ることができる（ステップＳ２０）。ここでは、（ステップＳ１０）において、バックライト１１によるＬＣＤパネル１０の明るさが通常より暗くされているため、ＬＣＤパネル１０の明るさが通常に戻されることで、直ちに撮影に入ることができるとともに、ＬＣＤパネル１０の明るさの変化によって撮影可能であることの確認も行うことができる。
【００３１】
また、図３の（ステップＳ１３）において、撮影待機状態（ＲＥＣ＿ＰＡＵＳＥ）がＴ３分に達していないときに何らかのボタンが押された場合には（ステップＳ２１）、バックライト１１によるＬＣＤパネル１０の明るさが通常に戻され、（ステップＳ８）の撮影待機状態（ＲＥＣ＿ＰＡＵＳＥ）に戻ることができる（ステップＳ２２）。ここでは、（ステップＳ１２）において、バックライト１１の点灯がＯＦＦとされているため、バックライト１１の点灯をＯＮしてＬＣＤパネル１０の明るさが通常に戻されることで、直ちに撮影に入ることができるとともに、ＬＣＤパネル１０の明るさの変化によって撮影可能であることの確認も行うことができる。また、ここでの何らかのボタンとは、撮影開始ボタン２５に限らず、ＺＯＯＭボタン、ＭＥＮＵボタン等のように操作に関わるボタンであればよい。
【００３２】
また、（ステップＳ１５）において、撮影待機状態（ＲＥＣ＿ＰＡＵＳＥ）がＴ５分に達していないときに上述した何らかのボタンが押された場合には（ステップＳ２３）、バックライト１１によるＬＣＤパネル１０の明るさが通常に戻され、（ステップＳ８）の撮影待機状態（ＲＥＣ＿ＰＡＵＳＥ）に戻ることができる（ステップＳ２４）。ここでは、（ステップＳ１４）において、ＣＣＤカメラ１及びＬＣＤパネル１０への電源供給が停止とされているため、ＣＣＤカメラ１及びＬＣＤパネル１０への電源供給とともに、バックライト１１の点灯をＯＮしてＬＣＤパネル１０の明るさが通常に戻されることで、上記同様に、直ちに撮影に入ることができる。また、ＬＣＤパネル１０の明るさの変化によって撮影可能であることの確認も行うことができる。
【００３３】
このように、本実施形態では、未操作が所定時間に達したときバッテリ２３からの電源供給を停止させて省電力モードに移行する間に、メインマイコン２０及びサブマイコン２１により、電源回路部２６からインバータ回路１２等への電源供給、ＣＣＤカメラ１への電源供給、メカ部１３への電源供給を段階的に停止させるための前置省電力モードを実行させるようにしたので、部品点数を増加させることなく、省電力モードに移行する間であってもバッテリ２３の電力消費をさらに低減させることができる。
【００３４】
具体的には、撮影待機状態（ＲＥＣ＿ＰＡＵＳＥ）がＴ１分以上続いた場合、電源回路３１からインバータ回路１２への電力を低下させ、バックライト１１によるＬＣＤパネル１０の明るさが通常より暗くする第１段階と、撮影待機状態（ＲＥＣ＿ＰＡＵＳＥ）がさらにＴ２分以上続いた場合（ステップＳ１１）、バックライト１１を消灯させる第２段階と、撮影待機状態（ＲＥＣ＿ＰＡＵＳＥ）がさらにＴ３分以上続いた場合ＣＣＤカメラ１及びＬＣＤパネル１０への電源供給を停止させる第３段階と、撮影待機状態（ＲＥＣ＿ＰＡＵＳＥ）がトータル５分以上続いた場合、電源回路部２６の全ての電源回路２７〜３４からの電源供給を停止させる第４段階とをとるようにすることができる。
【００３５】
このように、撮影待機状態（ＲＥＣ＿ＰＡＵＳＥ）が電源回路部２６の全ての電源回路２７〜３４からの電源供給を停止させる第４段階に到達する間に、第１〜第３段階毎に部分的に電源供給を停止させることで、バッテリ２３のトータル的な電力消費が低減されることから、バッテリ２３の寿命をさらに延ばすことができ、長時間撮影が可能となる。
【００３６】
この場合、たとえば撮影開始ボタン２５の押し忘れがあった場合や、誤って撮影開始ボタン２５を２度押して撮影待機状態（ＲＥＣ＿ＰＡＵＳＥ）に戻ってしまい、気づかずにそのままになってしまっても、確実にバッテリ２３のトータル的な電力消費を低減できるとともに、ＬＣＤパネル１０の明るさの変化によって撮影待機状態（ＲＥＣ＿ＰＡＵＳＥ）での放置を警告することができる。
【００３７】
また、たとえば５分後の電源ＯＦＦとなる省電力モードに移行するまでのそれぞれの段階的な電源供給停止が行われる間に、何らかのボタンが押された場合には、撮影待機状態（ＲＥＣ＿ＰＡＵＳＥ）に戻るようにしたので、撮影再開を直ちに実行させることができるばかりか、ＬＣＤパネル１０の明るさの変化によって撮影再開が可能であることを確認することができる。
【００３８】
なお、本実施形態では、本発明の撮影装置を記録媒体を磁気テープとするカメラ一体型ＶＣＲに適用した場合について説明したが、ＤＶＤ−ＲＡＭ、ＤＶＤ−ＲＷ、ＨＤＤ、半導体等のように磁気テープ以外を記録媒体とする撮影装置に適用してもよい。また、記録媒体に記録される画像は、静止画又は動画、又は静止画及び動画であってもよいことは勿論である。
【００３９】
また、本実施形態では、バッテリ２３を電源とした場合について説明したが、バッテリ２３に限らず、商用電源を変換して直流電源とするＤＣ変換器からの直流を電源としてもよく、この場合も、上記同様に、電力消費をさらに低減させることができる。
【００４０】
また、本実施形態では、ＬＣＤ（液晶ディスプレイ）パネル１０によって画像を表示させるようにしているが、この例に限らず、ＰＤＰ（プラズマディスプレイ）、有機ＥＬディスレイ等の他のディスプレイによって画像を表示させるようにしてもよい。
【産業上の利用可能性】
【００４１】
ノートパソコン、ＰＤＡ、携帯電話等の電子機器や、ラジカセ、携帯用テープ再生器、携帯用ＣＤ再生器、携帯用ＤＶＤ再生器等のＡ／Ｖ機器にも適用可能である。特に、バッテリを電源とする機器であれば、バッテリの寿命がさらに延びるので、使用時間又は再生時間をさらに延ばすことができる。
【図面の簡単な説明】
【００４２】
【図１】本発明の撮影装置をカメラ一体型ＶＣＲに適用した場合の一実施形態を示すブロック図である。
【図２】図１の撮影装置における省電力モード移行方法説明するためのフローチャートである。
【図３】図１の撮影装置における省電力モード移行方法を説明するためのフローチャートである。
【符号の説明】
【００４３】
１  ＣＣＤカメラ
１０  ＬＣＤパネル
１１  バックライト
１２  インバータ回路
１３  メカ部
２０  メインマイコン
２１  サブマイコン
２３  バッテリ
２６  電源回路部
【図１】
2006033398.tif 000003
【図２】
2006033398.tif 000004
【図３】
2006033398.tif 000005